(57)【要約】【課題】高い排列精度を要求されず、且つ、咬合調整が容易な人工歯セットを提供する。【解決手段】互いに咬合する上下の人工臼歯の対の一方２が、その咬合面に、球面、円筒面または円錐面で構成された凸型の調整面８，９，１０，１１，１２，１３を有し、人工臼歯の対の他方１が、その咬合面に、平面、球面、円筒面または円錐面で構成され、調整面と点接触または線接触する対合面３，４，５，６，７を有する。【選択図】図１
2011036410.tif 000002
【特許請求の範囲】
【請求項１】
少なくとも一対の、互いに咬合する上下の人工臼歯を含み、
前記人工臼歯の対の一方は、その咬合面に、球面、円筒面または円錐面で構成された凸型の調整面を有し、
前記人工臼歯の対の他方は、その咬合面に、前記調整面と点接触または線接触する対合面を有することを特徴とする人工歯セット。
【請求項２】
前記対合面は、平面、球面、円筒面または円錐面で構成されていることを特徴とする請求項１に記載の人工歯セット。
【請求項３】
前記対合面は、凸型であることを特徴とする請求項２に記載の人工歯セット。
【請求項４】
前記調整面および前記対合面は、円筒面または円錐面で構成され、前記調整面および前記対合面内の互いの接触点を含む直線が、互いに３０°から９０°傾斜していることを特徴とする請求項３に記載の人工歯セット。
【請求項５】
前記調整面および前記対合面を有する前記人工臼歯の対は、上下顎第一大臼歯、上下顎第二大臼歯、上下顎第一小臼歯、および、上下顎第二小臼歯の各対であることを特徴とする請求項１から４のいずれかに記載の人工歯セット。
【発明の詳細な説明】
【技術分野】
【０００１】
本発明は、少なくとも上下一対の人工臼歯を含む人工歯セットに関する。
【背景技術】
【０００２】
従来の人工歯は、天然歯を意識するあまり、天然歯の形状を再現することに重点をおいて設計されていた。近年になって、機能を重視した人工歯を作製する為に、色々な形状の人工歯が提案されるようになってきている。それらの形状は人工歯を正確に排列したときに、適切な機能が発揮できるように細密に設計されている。
【０００３】
しかしながら、設計段階において高機能な人工歯が作製できたとしても、実際に生産された人工歯は、必ずしも設計通りの形状や排列とはならず、嵌合状態が適切ではないものとなってしまう場合が多い。患者の口腔内は個人差が大きく、無歯顎の臨床においても、口腔内の広さや顎堤の高さ角度等が様々であるため、歯科補綴物（有床義歯）の作製時における人工臼歯の排列には、高度な技術と経験が必要であった。
【０００４】
有床義歯の人工歯の排列が不完全であると、食物を十分に噛める最適な咬合状態を得ることができない。このため、有床義歯の製作は、その最終段階において、適切な咬合状態が得られるように人工歯の咬合面を削り取る調整作業が行われる。有床義気の製作時には床用樹脂の重合歪み等が生じるが、そのような歪みを予測して、上下顎の人工歯を、最終的に設計通りの配置となるように排列することは極めて困難である。このため、従来の人工歯では、有床義歯の製作にあたり、それらを可能な限り注意深く排列したとしても、最終的に、その咬合面を削り取る調整作業が不可欠であった。
【０００５】
また、残存歯がある場合等は、最適な位置に人工歯を配置することがさらに難しく、最適な位置からずらして人工歯を配置せざるを得ないこともある。この場合は歯科補綴物の製作後に多大な咬合調整が必要であった。
【０００６】
例えば、特許文献１には、上下の人工歯の形状やそれらの対応関係についての記載がある。しかしながら、特許文献１の発明も、人工歯が正確に排列されることを前提としており、正確に配置されなかった場合の咬合面の調整については言及していない。
【先行技術文献】
【特許文献】
【０００７】
【特許文献１】特開平８−２８０７１３号公報
【発明の概要】
【発明が解決しようとする課題】
【０００８】
前記問題点に鑑みて、本発明は、高い排列精度を要求されず、且つ、咬合調整が容易な人工歯セットを提供することを課題とする。
【課題を解決するための手段】
【０００９】
前記課題を解決するために、本発明による人工歯セットは、少なくとも一対の、互いに咬合する上下の人工臼歯を含み、前記人工臼歯の対の一方は、その咬合面に、球面、円筒面または円錐面で構成された凸型の調整面を有し、前記人工臼歯の対の他方は、その咬合面に、前記調整面と点接触または線接触する対合面を有するものとする。
【００１０】
この構成によれば、調整面と対合面との接触面積が小さいので、調整面と対合面との接触部分を少しだけ削り取ることによって、咬合状態を大きく変化させることができる。このため、人工臼歯の配置が最適な位置からずれても、調整面または対合面を少し削るだけで、適切な咬合状態を得られるように調整できる。
【００１１】
また、本発明の人工歯セットにおいて、前記対合面は、平面、球面、円筒面または円錐面で構成されていてもよく、凸型であることが好ましい。
【００１２】
この構成によれば、調整面と対合面とが、面で接触せず、点接触または線接触することを確実にでき、さらに、対合面も凸型とすれば、互いの接触点から少し離れるだけで、調整面と対合面との距離が大きくなるので、接触点近傍を僅かに削り取るだけで、咬合状態を大きく変化させられる。
【００１３】
また、本発明の人工歯セットにおいて、前記調整面および前記対合面は、円筒面または円錐面で構成され、前記調整面および前記対合面内の互いの接触点を含む直線が、互いに３０°から９０°傾斜していてもよい。
【００１４】
この構成によれば、調整面と対合面とが一点で接触し、僅かな削り量で咬合状態を大きく変化させられる。このため、人工臼歯の配置が設計位置からずれても、僅かな調整作業によって良好な咬合状態を得ることができる。
【００１５】
また、本発明の人工歯セットにおいて、前記調整面および前記対合面を有する前記人工臼歯の対は、上下顎第一大臼歯、上下顎第二大臼歯、上下顎第一小臼歯、および、上下顎第二小臼歯の各対であってもよい。
【００１６】
この構成によれば、臼歯の全てを代替する歯科補綴物を製作できる。
【発明の効果】
【００１７】
本発明によれば、人工臼歯の対の一方の咬合面に、球面、円筒面または円錐面で構成された凸型の調整面を形成し、他方の咬合面に調整面と線接触または点接触する対合面を形成したので、調整面と対合面との接触面積が小さく、調整面または対合面を僅かに削り取るだけで咬合状態を改善することができる。このため、歯科補綴物の製作時の歪みによる人工臼歯のずれに起因する咬合不良を容易に修正できる。
【図面の簡単な説明】
【００１８】
【図１】本発明の１つの実施形態の人工歯セットの咬合面を示す図である。
【図２】図１の人工歯セットの近心遠心方向に直交する平面による断面図である。
【図３】図１の人工歯セットの調整面と対合面とを示す簡略斜視図である。
【図４】咬合を修正した図３の調整面と対合面とを示す簡略斜視図である。
【図５】図２の調整面と対合面との関係を示す簡略平面図である。
【図６】本発明の調整面と対合面との代案を示す簡略斜視図である。
【図７】本発明の調整面と対合面とに適用可能な形状の組み合わせを示す表である。
【発明を実施するための形態】
【００１９】
これより、本発明の実施形態について、図面を参照しながら説明する。図１は、本発明の１つの実施形態の人工歯セットの咬合面を示す。この人工歯セットは、互いに咬合する上顎の人工第２大臼歯１と下顎の人工第２大臼歯２とからなる。
【００２０】
上顎の人工臼歯１は、４つの咬頭Ｃを含む凸型の円筒面３，４，５，６，７を有する。円筒面４，５，６，７，８は、それぞれ、略近心延伸方向に延伸する軸を有する円筒（二点鎖線で図示）の外面の一部をなす。
【００２１】
円筒面３，４，５，６，７の周囲の咬合面は、自由曲面で構成されている。図には分かりやすく円筒面３，４，５，６，７の輪郭を示しているが、周囲の咬合面とはなだらかに接続されている。また、円筒面３，４，５，６，７の輪郭（周囲の咬合面との境界）は、図示したように直線のみで構成される必要はない。
【００２２】
下顎の人工歯２は、それぞれ咬頭Ｃの近傍から、略頬舌方向且つ下側に傾斜して頬側面または窩Ｆの近傍まで傾斜する凸型の円筒面８，９，１０，１１と、咬頭Ｃの近傍から、略頬舌方向且つ下側に傾斜して窩Ｆの近傍まで延伸する凸型の円錐面１２，１３とを有する。円筒面８，９，１０，１１および円錐面１２，１３も、自由曲面で構成された周囲の咬合面となだらかに接続されている。
【００２３】
図２に、咬合状態の人工臼歯１，２を遠心側からみた、遠心側の咬頭Ｃの噛み合い位置における断面を示す。図示するように、人工臼歯１と人工臼歯２とは、円筒面３と円筒面１０、円筒面４と円筒面９、円筒面５と円筒面８が、それぞれ、互いに当接し合う。図示しないが、同様に、円筒面６は、円筒面１１と当接し、円筒面７は円錐面１２および円錐面１３と当接する。
【００２４】
本実施形態では、下顎の人工臼歯２の円筒面８，９，１０，１１および円錐面１２，１３を、咬合調整のために削ることができる調整面とし、上顎の人工臼歯１の円筒面３，４，５，６，７を、調整面に接触する対合面として説明する。しかしながら、調整面と対合面とは、相対的な称呼であって、本実施形態において、対合面３，４，５，６，７を削って咬合調整してもよく、調整面８，９，１０，１１，１２，１３と対合面３，４，５，６，７の両方を削って咬合調整してもよい。
【００２５】
図３に、代表して、円筒面７と円錐面１２との当接状態を分かりやすく示す。中心軸がねじれ関係にある円筒面７と円錐面１２とは、互いの面上の一点で接触し、一点鎖線で示すように、それぞれの表面上に互いの接触点を含む直線を一本ずつ引くことができる。
【００２６】
ここで、人工臼歯１または人工臼歯２の姿勢が、僅かに傾斜している場合、例えば、歯科補綴物（有床義歯）の義歯床に人工臼歯１または人工臼歯２が傾斜して固定された場合には、そのままでは、全ての対合面３，４，５，６，７を調整面８，９，１０，１１，１２，１３と当接させることができない。
【００２７】
例えば、無調整の歯科補綴物において、円筒面７と円錐面１２とが先に当接し、適切な咬合状態が得られない場合、図４に示すように、円錐面１２の当接部分を削り取ることで、人工臼歯１と人工臼歯２とを深く咬合させられるようになり、他の対合面３，４，５，６を、調整面８，９，１０，１１，１３に当接させられるようにできる。
【００２８】
このようにして、全ての対合面３，４，５，６，７が調整面８，９，１０，１１，１２，１３と接触するように、調整面８，９，１０，１１，１２，１３の一部を削り取ることで、人工臼歯１と人工臼歯２との最適な咬合状態を得られる。
【００２９】
さらに、本実施形態では、図２に示すように、調整面８，９，１０，１１，１２，１３と対合面３，４，５，６，７とのそれぞれの接触点における法線（一点鎖線で図示）が、人工臼歯１および人工臼歯２の基底面１４，１５を通るように設計されている。これにより、人工臼歯１，２を用いた歯科補綴物の噛み合わせの際、個々の接触点における力が、全て、基底面１４，１５を義歯床に押し付ける方向に作用するため、人工臼歯１，２が義歯床上で安定する。
【００３０】
図４に示すように、円筒面７と円錐面１２とは、接触面積が小さく、いずれかを僅かに削るだけで両者の中心軸間距離を大きく縮められる。円筒面７および円錐面１２の表面上の互いの接触点を含む２本の直線の間の角度が小さくなると、円筒面７と円錐面１２との重複面積が大きくなり、中心軸間距離を一定距離だけ縮めるために削り取らなければならない円筒面７や円錐面１２の体積が大きくなる。このため、円筒面７および円錐面１２の表面上の互いの接触点を含む２本の直線の間の角度を３０°以上にすることが好ましく、９０°にすることが最も好ましい。
【００３１】
また、図６に示すように、咬合調整のために削られる調整面が球面１６であり、対合面が平面１７であってもよい。平面１７を削って咬合調整する場合、球面１６を受け入れる大きな凹部を形成するように広い範囲を削り取らなければならないので、平面１７を咬合調整のために削られる調整面とするのは適当ではない。
【００３２】
図７に、本発明の人工臼歯の調整面と対合面とに適用可能な形状の組み合わせを示す。本発明では、調整面および対合面に円筒面または円錐面を適用することが最も好ましい。互いにねじれの関係にある円筒面や円錐面は、互いの位置関係がずれた場合には、設計上の当接点と異なる位置が近接し合い、互いの離間距離が小さくなるので、僅かな相対距離の変化によって接触させ合うことができる。
【００３３】
円筒面または円錐面は、平面とは線接触し、円筒面や円錐面同士も線接触するように配置し得る。この場合も、面と面とが広く接触するよりは少ない範囲を削るだけで咬合調整が可能であるので、本発明において採用し得る。
【００３４】
調整面と対合面とにいずれも球面を採用することも可能であるが、球面同士の相対位置がずれた場合、互いの離間距離が大きくなりやすいため、他の調整面を削る量を多くする必要が生じる。
【００３５】
さらに、本発明では、人工臼歯の機能咬頭には、３つ以上の調整面または対合面を設けることが好ましい。機能咬頭は、咬合する人工臼歯の複数の咬頭と当接するため、それぞれの当接位置に、本発明の調整面または対合面を設けることで、歯科補綴物の咬合調整を容易にできる。
【００３６】
また、本発明において、対合面の設計上の接触点を通る直線が人工臼歯の滑走方向と一致していれば、調整面と対合面との摺接によって、人工臼歯の滑走を案内して安定した摺り潰し機能を発揮させられる。この場合、咬合調整において、調整面のみを削り、滑走を案内する対合面は削らない方がよい。
【００３７】
また、本発明の人工臼歯は、咬頭近傍から窩または辺縁の各部に至る最短経路が、１つの調整面または対合面だけを含むようにすることが好ましく、咬頭から窩または辺縁にかけて変曲点を有しないことが好ましい。
【００３８】
さらに、本発明の人工歯セットは、上述の構成からなる調整面および対合面を設けた、上下顎人工第一大臼歯の対、上下顎人工第二大臼歯の対、上下顎人工第一小臼歯の対、および、上下顎人工第二小臼歯の対を含むものであることが好ましい。
【００３９】
また、本発明の人工歯セットは、従来の咬合形状を有する人工臼歯を含んでもよく、さらに、犬歯および人工切歯の対を含むものであってもよい。
【産業上の利用可能性】
【００４０】
本発明の人工歯セットは、歯科補綴物を製作するために利用される。
【符号の説明】
【００４１】
１，２…人工臼歯
３，４，５，６，７…円筒面（対合面）
８，９，１０，１０，１１…円筒面（調整面）
１２，１３…円錐面（調整面）
１４，１５…基底面
１６…球面（調整面）
１７…平面（対合面）
Ｃ…咬頭
Ｆ…窩
【図１】
2011036410.tif 000003
【図２】
2011036410.tif 000004
【図３】
2011036410.tif 000005
【図４】
2011036410.tif 000006
【図５】
2011036410.tif 000007
【図６】
2011036410.tif 000008
【図７】
2011036410.tif 000009
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
少なくとも一対の、互いに咬合する上下の人工臼歯を含み、
前記人工臼歯の対の一方は、その咬合面に、咬合調整のために削り得る円筒面または円錐面で構成された凸型の調整面を有し、
前記人工臼歯の対の他方は、その咬合面に、前記調整面と中心軸がねじれ関係にあって点接触する円筒面または円錐面で構成された対合面を有することを特徴とする人工歯セット。
【請求項２】
前記調整面および前記対合面は、前記調整面および前記対合面内の互いの接触点を含む直線が、互いに３０°から９０°傾斜していることを特徴とする請求項１に記載の人工歯セット。
【請求項３】
前記調整面および前記対合面を有する前記人工臼歯の対は、上下顎第一大臼歯、上下顎第二大臼歯、上下顎第一小臼歯、および、上下顎第二小臼歯の各対であることを特徴とする請求項１または２に記載の人工歯セット。
【手続補正２】
【補正対象書類名】明細書
【補正対象項目名】０００９
【補正方法】変更
【補正の内容】
【０００９】
前記課題を解決するために、本発明による人工歯セットは、少なくとも一対の、互いに咬合する上下の人工臼歯を含み、前記人工臼歯の対の一方は、その咬合面に、咬合調整のために削り得る円筒面または円錐面で構成された凸型の調整面を有し、前記人工臼歯の対の他方は、その咬合面に、前記調整面と中心軸がねじれ関係にあって点接触する円筒面または円錐面で構成された対合面を有するものとする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００２０
【補正方法】変更
【補正の内容】
【００２０】
上顎の人工臼歯１は、４つの咬頭Ｃを含む凸型の円筒面３，４，５，６，７を有する。円筒面３，４，５，６，７は、それぞれ、略近心遠心方向に延伸する軸を有する円筒（二点鎖線で図示）の外面の一部をなす。
【手続補正６】
【補正対象書類名】明細書
【補正対象項目名】００２２
【補正方法】変更
【補正の内容】
【００２２】
下顎の人工歯２は、それぞれ咬頭Ｃの近傍から、略頬舌方向且つ下側に傾斜して頬側面または窩Ｆの近傍まで延伸する凸型の円筒面８，９，１０，１１と、咬頭Ｃの近傍から、略頬舌方向且つ下側に傾斜して窩Ｆの近傍まで延伸する凸型の円錐面１２，１３とを有する。円筒面８，９，１０，１１および円錐面１２，１３も、自由曲面で構成された周囲の咬合面となだらかに接続されている。